(57)【要約】  【課題】  位置名称に変更があったとしても、同位置名称を迅速且つ容易に変更登録することはできない。  【解決手段】  無線ＬＡＮ端末及び複数のＡＰ５と、端末装置毎に位置名称を含むプレゼンス情報を記憶管理すると共に、プレゼンス要求に応じてプレゼンス情報を端末装置に提供するプレゼンスサーバ８とを有し、プレゼンスサーバは、受信電力測定結果毎に地点及び同地点の位置名称を記憶管理する位置名称対応テーブル３２Ｂを有し、無線ＬＡＮ端末４は、現在地点の周辺ＡＰの受信電力測定し、同受信電力測定結果に対応した現在地点の位置名称をプレゼンスサーバから提供されると、同位置名称を表示し、この表示中の位置名称に対する変更操作を検出すると、同位置名称の変更内容をプレゼンスサーバに通知する制御部２１を有し、プレゼンスサーバは、変更内容を受信すると、同変更内容に基づき、位置名称対応テーブルに記憶中の現在地点に対応した位置名称を記憶更新する変更内容更新部５５を有するものである。【選択図】  図６
2006325129.tif 000002
【特許請求の範囲】
【請求項１】
無線端末装置と、各所定箇所に配置され、前記無線端末装置と無線通信する複数の無線基地局と、端末装置毎に位置名称を含むプレゼンス情報を記憶管理すると共に、前記端末装置からのプレゼンス要求に応じて所望端末装置に対応したプレゼンス情報を、同プレゼンス要求を実行した端末装置に提供するプレゼンスサーバとを有するプレゼンス情報提供システムであって、
前記無線端末装置は、
現在地点での前記無線基地局に対する無線通信の受信電力を測定する受信電力測定手段と、
この受信電力測定手段の測定結果を前記プレゼンスサーバに通知する測定結果通知手段とを有し、
前記プレゼンスサーバは、
受信電力測定結果毎に地点及び同地点の位置名称を記憶管理した記憶手段と、
前記測定結果通知手段から前記現在地点での測定結果を受信すると、この測定結果に対応した地点を前記記憶手段の記憶内容から推定する地点推定手段と、
この地点推定手段にて推定した地点に対応する位置名称を前記記憶手段から読み出し、この位置名称を前記無線端末装置に通知する位置名称通知手段とを有し、
前記無線端末装置は、
前記位置名称通知手段から前記位置名称を受信すると、この位置名称を現在地点の位置名称として表示する表示手段と、
この表示手段に表示中の前記現在地点の位置名称に対する変更操作を検出すると、同位置名称の変更内容を前記プレゼンスサーバに通知する変更内容通知手段とを有し、
前記プレゼンスサーバは、
前記変更内容通知手段から前記現在地点に関わる位置名称の変更内容を受信すると、前記記憶手段に記憶中の現在地点に対応した位置名称を同変更内容に記憶更新する記憶制御手段を有することを特徴とするプレゼンス情報提供システム。
【請求項２】
前記受信電力測定手段は、
前記現在地点での前記複数の無線基地局に対する無線通信の受信電力を測定することを特徴とする請求項１記載のプレゼンス情報提供システム。
【発明の詳細な説明】
【技術分野】
【０００１】
本発明は、例えば無線ＬＡＮ端末等の無線端末装置と、例えば社内の各所定箇所に配置され、前記無線端末装置と無線通信する、例えばアクセスポイント等の複数の無線基地局と、端末装置毎にプレゼンス情報を記憶管理すると共に、前記端末装置からのプレゼンス要求に応じて所望端末装置に対応したプレゼンス情報を、同プレゼンス要求を実行した端末装置に提供するプレゼンスサーバとを有するプレゼンス情報提供システムに関する。
【背景技術】
【０００２】
従来、このようなプレゼンス情報提供システムとしては、無線端末装置と、例えば社内の各所定箇所に配置され、前記無線端末装置と無線通信する複数の無線基地局と、端末装置毎にステータス情報や現在位置名称等を含むプレゼンス情報を記憶管理すると共に、前記端末装置からのプレゼンス要求に応じて所望端末装置に対応したプレゼンス情報を、同プレゼンス要求を実行した端末装置に提供するプレゼンスサーバと、前記無線基地局毎に、同無線基地局を識別する識別情報及び同無線基地局の配置箇所を示す位置名称、例えば“第１会議室”等を記憶管理した対応テーブルとを有し、このプレゼンスサーバは、前記無線端末装置から自己のプレゼンス登録要求に関わるステータス情報及び連絡先情報を含むプレゼンス情報を無線基地局経由で受信する際、同無線基地局の識別情報も併せて受信するため、同無線基地局の位置名称を把握し、同無線基地局の位置名称を同無線端末装置の現在位置名称として、同無線端末装置のステータス情報及び連絡先情報と併せて同無線端末装置のプレゼンス情報として記憶管理するものが知られている(例えば特許文献１参照)。
【０００３】
尚、プレゼンス情報とは、例えば“在席中”、“会議中”や“出張中”等の状態を示すステータス情報や、ユーザの別の連絡先を示す連絡先情報や、ユーザの現在位置を示す現在位置名称等を含むものである。また、前記無線基地局は、無線端末装置の無線通信を低感度で受信する低感度基地局に相当し、例えば部屋毎に配置されるものである。
【０００４】
従って、特許文献１によれば、プレゼンスサーバ側にて無線端末装置から自己のプレゼンス登録要求に関わるステータス情報及び連絡先情報を無線基地局経由で受信する際に、同無線基地局の識別情報を併せて受信するため、同無線基地局の位置名称を把握して、同無線基地局の位置名称を同無線端末装置の現在位置名称とし、同無線端末装置のステータス情報及び連絡先情報と併せて同無線端末装置のプレゼンス情報として記憶管理するようにしたので、無線端末装置のユーザは、現在位置名称の入力操作を行わなくても、自動的に現在位置名称をプレゼンス情報としてプレゼンスサーバ側に登録することができる。
【特許文献１】特開２００４−３２８３０９号公報（要約書及び図1参照）
【発明の開示】
【発明が解決しようとする課題】
【０００５】
しかしながら、上記特許文献１によれば、例えば部屋毎に無線基地局を配置し、対応テーブルにて同無線基地局毎に識別情報及び配置箇所の位置名称を予め記憶管理すると共に、無線端末装置からプレゼンス情報を受信した無線基地局の位置名称を同無線端末装置の現在位置名称としてプレゼンスサーバ側で登録するようにしたが、例えば部屋替え等で無線基地局の配置箇所の位置名称が、例えば第１会議室から第４応接室に変更されたとしても、対応テーブルに記憶中の位置名称が変更されない限り、変更前の位置名称が現在位置名称として登録されてしまうことになるため、例えばプレゼンス要求をした端末装置側のユーザに対して誤った現在位置名称を含むプレゼンス情報を提供してしまう虞がある。
【０００６】
また、対応テーブルに記憶中の位置名称に対して変更するにしても、同対応テーブルの管理者等の特定ユーザ側からしか変更することができないため、同無線端末装置側のユーザ側からは変更することができず、位置名称変更に迅速に対応することができない。
【０００７】
本発明は上記点に鑑みてなされたものであって、その目的とするところは、現在位置名称に変更があったとしても、面倒な操作を要することなく、同名称変更に対して迅速かつフレキシブルに対応することができ、その結果、プレゼンス要求のユーザに正確なプレゼンス情報を提供することができるプレゼンス情報提供システムを提供することにある。
【課題を解決するための手段】
【０００８】
上記目的を達成するために本発明のプレゼンス情報提供システムは、無線端末装置と、各所定箇所に配置され、前記無線端末装置と無線通信する複数の無線基地局と、端末装置毎に位置名称を含むプレゼンス情報を記憶管理すると共に、前記端末装置からのプレゼンス要求に応じて所望端末装置に対応したプレゼンス情報を、同プレゼンス要求を実行した端末装置に提供するプレゼンスサーバとを有するプレゼンス情報提供システムであって、前記無線端末装置は、現在地点での前記無線基地局に対する無線通信の受信電力を測定する受信電力測定手段と、この受信電力測定手段の測定結果を前記プレゼンスサーバに通知する測定結果通知手段とを有し、前記プレゼンスサーバは、受信電力測定結果毎に地点及び同地点の位置名称を記憶管理した記憶手段と、前記測定結果通知手段から前記現在地点での測定結果を受信すると、この測定結果に対応した地点を前記記憶手段の記憶内容から推定する地点推定手段と、この地点推定手段にて推定した地点に対応する位置名称を前記記憶手段から読み出し、この位置名称を前記無線端末装置に通知する位置名称通知手段とを有し、前記無線端末装置は、前記位置名称通知手段から前記位置名称を受信すると、この位置名称を現在地点の位置名称として表示する表示手段と、この表示手段に表示中の前記現在地点の位置名称に対する変更操作を検出すると、同位置名称の変更内容を前記プレゼンスサーバに通知する変更内容通知手段とを有し、前記プレゼンスサーバは、前記変更内容通知手段から前記現在地点に関わる位置名称の変更内容を受信すると、前記記憶手段に記憶中の現在地点に対応した位置名称を同変更内容に記憶更新する記憶制御手段を有するようにした。
【０００９】
また、本発明のプレゼンス情報提供システムは、前記受信電力測定手段が、前記現在地点での前記複数の無線基地局に対する無線通信の受信電力を測定するようにした。
【発明の効果】
【００１０】
上記のように構成された本発明のプレゼンス情報提供システムによれば、前記無線端末装置にて現在地点での無線基地局に対する無線通信の受信電力を測定し、この測定結果をプレゼンスサーバに通知し、同プレゼンスサーバ側で同測定結果に対応した地点の位置名称を記憶手段から読み出し、同位置名称を無線端末装置側に通知すると共に、同無線端末装置側で同現在地点の位置名称を表示して同位置名称に対する変更操作を検出すると、同変更内容をプレゼンスサーバ側に通知し、同プレゼンスサーバ側で同変更内容を受信すると、前記記憶手段に記憶中の同現在地点に関わる位置名称を変更内容に記憶更新するようにしたので、無線端末装置側のユーザは、表示手段に表示中の現在地点の位置名称を画面上で確認し、同位置名称を変更する場合、同変更操作を実行してプレゼンスサーバ側の記憶手段に記憶中の現在位置名称を変更することができるため、例えば部屋替え等で現在位置名称に変更があったとしても、面倒な操作を要することなく、同名称変更に対して迅速かつフレキシブルに対応することができ、その結果、プレゼンス要求の端末装置側のユーザに対して正確なプレゼンス情報を提供することができる。
【００１１】
また、本発明のプレゼンス情報提供システムによれば、無線端末装置側の受信電力測定手段にて複数の無線基地局に対する無線通信の受信電力を測定するようにしたので、例えば部屋毎に無線基地局を配置するのではなく、例えば複数の部屋を有するフロア毎に、少なくとも２台の無線基地局を配置するだけで済む、コストを低減したシステムにも対応可能である。
【発明を実施するための最良の形態】
【００１２】
以下、図面に基づいて本発明の実施の形態を示すプレゼンス情報提供システムについて説明する。図１は本実施の形態を示すプレゼンス情報提供システム内部の概略構成を示すブロック図である。
【００１３】
図１に示すプレゼンス情報提供システム１は、例えば企業の本社ビルに構築された第１ＬＡＮ２Ａと、例えば企業の事業所ビルに構築された第２ＬＡＮ２Ｂと、これら第１ＬＡＮ２Ａ及び第２ＬＡＮ２Ｂを通信接続するＩＰ網３とを有している。
【００１４】
第１ＬＡＮ２Ａは、複数の無線ＬＡＮ端末４と、これら複数の無線ＬＡＮ端末４を無線接続する複数のアクセスポイント(以下、単にＡＰと称する)５と、複数のパソコン端末(以下、単にＰＣと称する)６と、ＩＰ網３との通信インタフェースを司るルータ７と、プレゼンス情報を管理提供するプレゼンスサーバ８とを有している。尚、第２ＬＡＮ２Ｂも同様に、複数の無線ＬＡＮ端末４、複数のＡＰ５、複数のＰＣ６及びルータ７を備えているものとする。
【００１５】
無線ＬＡＮ端末４は、例えばＩＥＥＥ８０２．１１に準拠して動作する無線ＬＡＮ通信機能を有する情報通信靖末であって、例えばパソコン等の情報処理装置、ＰＤＡ等の情報端末や無線ＩＰ電話機等の電話端末に相当するものである。
【００１６】
ＡＰ５は、例えばＩＥＥＥ８０２．１１に準拠して動作する無線ＬＡＮ通信機能及びＩＥＥＥ８０２．３に準拠して動作する有線ＬＡＮ通信機能を有し、例えばビル内のフロアの所定箇所に分散配置されるものである。
【００１７】
ルータ７は、ＬＡＮ２Ａ（２Ｂ）及びＩＰ網３上のＩＰパケットを監視し、同ＩＰパケットのＩＰヘッダ情報（宛先ＩＰアドレス情報やポート番号情報等）に基づきＩＰパケットをルーティングする通信インタフェースに相当するものである。
【００１８】
無線ＬＡＮ端末４は、ＡＰ５経由で他の無線ＬＡＮ端末４及びＰＣ６とＩＰ通信可能にすると共に、ルータ７及びＩＰ網３経由で対向側のＬＡＮ２Ｂ（２Ａ）内の無線ＬＡＮ端末４及びＰＣ６とＩＰ通信可能にするものである。
【００１９】
図２は本実施の形態に関わる無線ＬＡＮ端末４内部の概略構成を示すブロック図である。
【００２０】
図２に示す無線ＬＡＮ端末４は、隣接する周辺ＡＰ５と無線通信するアンテナ１１と、このアンテナ１１にて受信した無線信号からベースバンド信号を抽出するＲＦ部１２と、このベースバンド信号を復調してＩＰパケットを復元するベースバンド部１３と、同復元したＩＰパケットを分解化して音声符号化信号やデータ等を得るＩＰパケット処理部１４と、この音声符号化信号やデータ等を取得して各種通信制御を実行する通信制御部１５と、ＲＦ部１２にてアンテナ１１経由で受信した各隣接ＡＰ５との無線信号の受信電力を測定する受信電力測定部１６とを有している。
【００２１】
また、無線ＬＡＮ端末４は、他の無線ＬＡＮ端末４に対してＡＰ５経由で音声符号化信号やデータを送信する場合、通信制御部１５にて音声符号化信号やデータをＩＰパケット処理部１４に伝送し、このＩＰパケット処理部１４にて音声符号化信号やデータにＩＰヘッダ情報を付与してＩＰパケットを組立化し、同ＩＰパケットをベースバンド部１３に伝送し、このベースバンド部１３にてＩＰパケットをベースバンド信号に変調して同ベースバンド信号をＲＦ部１２に伝送し、このＲＦ部１２にてベースバンド信号を無線搬送周波数に基づき無線信号を生成し、この無線信号をアンテナ１１経由で隣接ＡＰ５に送信するものである。
【００２２】
さらに、無線ＬＡＮ端末４は、様々な指令を入力する操作部１７と、様々な情報を表示する表示部１８と、様々な情報を一時記憶するＲＡＭ１９と、様々なプログラム等を記憶するＲＯＭ２０と、この無線ＬＡＮ端末４全体を制御する制御部２１とを有している。
【００２３】
また、制御部２１は、受信電力測定部１６にて隣接ＡＰ５との無線信号の受信電力を測定すると、この測定結果を取得することになる。
【００２４】
操作部１７は、ダイヤル番号や文字等を入力するダイヤルボタン１７Ａと、プレゼンスサーバ８に対して所望端末のプレゼンス情報を要求するプレゼンス要求ボタン１７Ｂと、自分のプレゼンス情報をプレゼンスサーバ８側に登録するためのプレゼンス登録ボタン１７Ｃと、自分の現在地点の位置名称を変更する際に使用する位置名称変更ボタン１７Ｄ等とを有している。
【００２５】
図３は本実施の形態に関わるプレゼンスサーバ８内部の概略構成を示すブロック図である。
【００２６】
図３に示すプレゼンスサーバ８は、ＬＡＮ通信するサーバ側通信部３１と、第１ＬＡＮ２Ａ及び第２ＬＡＮ２Ｂ内の無線ＬＡＮ端末４を含む内線端末毎のプレゼンス情報等を記憶管理するデータベース３２と、このプレゼンスサーバ８全体を制御するサーバ側制御部３３とを有している。
【００２７】
データベース３２は、無線ＬＡＮ端末４毎のプレゼンス情報を記憶管理するプレゼンス情報管理テーブル３２Ａと、ＡＰ５及び無線ＬＡＮ端末４間の無線信号の受信電力測定結果に対応したフロア内の部屋番号及び位置名称を記憶管理する位置名称対応テーブル３２Ｂとを有している。
【００２８】
プレゼンス情報管理テーブル３２Ａは、無線ＬＡＮ端末４毎に、ユーザ名４１、内線番号４２、例えば“会議中”、“出張中”や“在席中”等の現在状況を示すステータス情報４３、他の連絡方法を示す連絡先情報４４及び、現在位置を示す現在位置名称４５等のプレゼンス情報を記憶管理しているものである。
【００２９】
サーバ側制御部３３は、サーバ側通信部３１を通じて無線ＬＡＮ端末４からＡＰ５経由で所望無線ＬＡＮ端末４のプレゼンス情報を要求するプレゼンス要求を受信すると、同所望無線ＬＡＮ端末４のプレゼンス情報をプレゼンス情報管理テーブル３２Ａから検索し、この検索したプレゼンス情報を、プレゼンス要求を実行した無線ＬＡＮ端末４に提供するプレゼンス情報検索部５１と、サーバ側通信部３１を通じて無線ＬＡＮ端末４からＡＰ５経由で自己のプレゼンス情報を登録するプレゼンス登録要求を受信すると、自己のプレゼンス情報をプレゼンス情報管理テーブル３２Ａに登録するプレゼンス情報登録部５２とを有している。
【００３０】
図４は同データベース３２内の位置名称対応テーブル３２Ｂのテーブル内容を端的に示す説明図である。
【００３１】
図４に示す位置名称対応テーブル３２Ｂは、予め設定した受信電力測定結果６１と、同受信電力測定結果６１に対応した地点（部屋番号）６２と、同地点(部屋番号)６２の位置名称６３とを記憶管理している。
【００３２】
図５は図４のテーブル内容に対応した受信電力測定結果及び地点(部屋番号)の関係を端的に示す説明図である。
【００３３】
図５に示すフロアには、例えば部屋番号“１０１”〜“１０６”の６部屋を有し、例えば部屋番号“１０１”の部屋内に第１ＡＰ５Ａ、部屋番号“１０４”の部屋内に第２ＡＰ５Ｂ、部屋番号“１０５”の部屋内に第３ＡＰ５Ｃを夫々配置し、第１ＡＰ５Ａ及び無線ＬＡＮ端末４間の受信電力測定結果を“Ｒ１”、第２ＡＰ５Ｂ及び無線ＬＡＮ端末４間の受信電力測定結果を“Ｒ２”、第３ＡＰ５Ｃ及び無線ＬＡＮ端末４間の受信電力測定結果を“Ｒ３”とすると、部屋番号毎に受信電力測定結果が予め設定されることになる。尚、受信電力測定結果は、説明の便宜上、三段階で表し、受信電力が第１レベル以上の場合は“強”、受信電力が第２レベル未満の場合は“弱”、受信電力が第１レベル未満かつ第２レベル以上の場合は“中”で表すものとする。
【００３４】
例えば無線ＬＡＮ端末４が部屋番号“１０５”の部屋内に居る場合、同無線ＬＡＮ端末４及び第３ＡＰ５Ｃが同一部屋内にいるため、第３ＡＰ５Ｃとの受信電力は“強”、その一方、同無線ＬＡＮ端末４に対して第１ＡＰ５Ａ及び第２ＡＰ５Ｂは離れているため受信電力が減衰し、第１ＡＰ５Ａ及び第２ＡＰ５Ｂ夫々の受信電力は“中”の受信結果が得られることになる。
【００３５】
また、同様に無線ＬＡＮ端末４が部屋番号“１０２”の部屋内に居る場合、同無線ＬＡＮ端末４は第１ＡＰ５Ａ及び第２ＡＰ５Ｂから離れているため受信電力が減衰し、第１ＡＰ５Ａ及び第２ＡＰ５Ｂ夫々の受信電力は“中”、その一方、無線ＬＡＮ端末４に対して第３ＡＰ５Ｃは第１ＡＰ５Ａ及び第２ＡＰ５Ｂよりも離れているため受信電力が一層減衰し、第３ＡＰ５Ｃの受信電力は“弱”の受信結果を得られることになる。
【００３６】
従って、この受信結果を踏まえて、図４に示す位置名称対応テーブル３２Ｂでは、初期設定段階で、部屋番号(地点)６２毎に受信電力測定結果６１及び同部屋番号６２の位置名称６３が記憶され、例えば部屋番号(地点)の“１０２”では受信電力測定結果６１（Ｒ１，Ｒ２，Ｒ３）が（中、中、中）で位置名称６３が“第１応接室”ということになる。
【００３７】
また、図３に示すサーバ側制御部３３は、前述したプレゼンス情報検索部５１及びプレゼンス情報登録部５２の他に、サーバ側通信部３１経由で無線ＬＡＮ端末４からＡＰ５経由で受信電力測定結果を受信すると、同受信電力測定結果６１に対応した現在地点(部屋番号)６２を位置名称対応テーブル３２Ｂから推定検索する現在地点推定部５３と、この現在地点推定部５３にて推定した現在地点(部屋番号)６２に対応する位置名称６３を位置名称対応テーブル３２Ｂから検索すると共に、サーバ側通信部３１を通じて同位置名称をＡＰ５経由で同無線ＬＡＮ端末４に通知する位置名称検索部５４とを有している。
【００３８】
また、無線ＬＡＮ端末４は、プレゼンスサーバ８側の位置名称検索部５４にて現在地点(部屋番号)に対応する位置名称を受信すると、この位置名称を表示部１８に表示すると共に、同表示部１８に表示中の位置名称に変更がある場合、例えば部屋番号“１０１”の位置名称“第１会議室”が“第５応接室”に部屋替え等であった場合、現在表示中の位置名称は“第１会議室”であることから、ダイヤルボタン１７Ａを使用して変更内容である“第５応接室”を入力した後、位置名称変更ボタン１７Ｄをボタン操作すると、同変更内容をプレゼンスサーバ８側に通知するものである。
【００３９】
さらにサーバ側制御部３３は、サーバ側通信部３１を通じて同無線ＬＡＮ端末４から同位置名称の変更内容を受信すると、同変更内容に基づき位置名称対応テーブル３２Ｂ内の該当位置名称を変更更新すると共に、サーバ側通信部３１を通じて同変更内容の位置名称をＡＰ５経由で同無線ＬＡＮ端末４に通知する変更内容更新部５５を有している。尚、変更内容に基づく位置名称対応テーブル３２Ｂ内の該当位置名称の変更更新とは、例えば部屋番号“１０１”の位置名称６３の“第１会議室”を変更内容の“第５応接室”に書換更新するものである。
【００４０】
また、変更内容更新部５５は、変更内容に基づき同位置名称対応テーブル３２Ｂ内の該当位置名称を変更更新すると、プレゼンス情報管理テーブル３２Ａ内の該当位置名称も併せて変更更新するものである。尚、プレゼンス情報管理テーブル３２Ａ内に該当位置名称が複数ある場合も該当位置名称のみを全て書換更新するものである。
【００４１】
無線ＬＡＮ端末４のユーザは、例えば部屋替え等で位置名称対応テーブル３２Ｂのテーブル内容に変更があったとしても、迅速且つ容易に同位置名称対応テーブル３２Ｂのテーブル内容を変更することができる。
【００４２】
尚、請求項記載の無線端末装置は無線ＬＡＮ端末４、無線基地局はＡＰ５、端末装置は無線ＬＡＮ端末４及びＰＣ６等の内線端末、受信電力測定手段は受信電力測定部１６、測定結果通知手段は制御部２１、記憶手段は位置名称対応テーブル３２Ｂ、地点推定手段は現在地点推定部５３、位置名称通知手段は位置名称検索部５４と、表示手段は表示部１８、変更内容通知手段は制御部２１、記憶制御手段は変更内容更新部５５に相当するものである。
【００４３】
次に本実施の形態を示すプレゼンス情報提供システム１の動作について説明する。図６は本実施の形態を示すプレゼンス情報提供システム１内部の無線ＬＡＮ端末４及びプレゼンスサーバ８の現在位置名称変更処理に関わる処理動作を示す動作シーケンスである。
【００４４】
図６に示す位置名称変更処理とは、例えば部屋替え等で無線ＬＡＮ端末４の現在地点に相当する部屋番号の位置名称が変更されたとしても、無線ＬＡＮ端末４からのボタン操作で位置名称対応テーブル３２Ｂ内の同部屋番号６２に対応する位置名称６３を変更更新することができる処理である。
【００４５】
図６に示す無線ＬＡＮ端末４の制御部２１は、受信電力測定部１６にて現在地点にて周辺ＡＰ５との無線通信に基づき受信電力を測定する(ステップＳ１１)。
【００４６】
制御部２１は、周辺ＡＰ５の受信電力測定結果をＡＰ５経由でプレゼンスサーバ８に通知する(ステップＳ１２)。
【００４７】
プレゼンスサーバ８のサーバ側制御部３３は、サーバ側通信部３１を通じて無線ＬＡＮ端末４から受信電力測定結果を受信すると(ステップＳ１３)、現在地点推定部５３にて同受信電力測定結果に対応した現在地点(部屋番号)を位置名称対応テーブル３２Ｂから推定する(ステップＳ１４)。
【００４８】
サーバ側制御部３３は、現在地点（部屋番号）を推定すると、同現在地点に対応した現在位置名称を位置名称対応テーブル３２Ｂから検索し(ステップＳ１５)、この現在位置名称をＡＰ５経由で同受信電力測定結果を通知した無線ＬＡＮ端末４に通知する(ステップＳ１６)。
【００４９】
無線ＬＡＮ端末４の制御部２１は、プレゼンスサーバ８からの現在位置名称を受信すると(ステップＳ１７)、この現在位置名称を表示部１８に表示する(ステップＳ１８)。従って、無線ＬＡＮ端末４のユーザは、表示部１８に表示中の現在位置名称を目視することで、自分の現在位置名称を認識することになる。
【００５０】
この際、例えば部屋替え等で部屋番号“１０１”の位置名称が“第１会議室”から“第５応接室”に変更され、すなわち表示部１８に表示中の現在位置名称“第１会議室”と実際の現在位置名称“第５応接室”とが異なる場合、無線ＬＡＮ端末４の制御部２１は、表示部１８に表示中の現在位置名称を変更する現在位置名称の変更操作を検出すると(ステップＳ１９)、受信電力測定部１６にて現在地点での周辺ＡＰ５との受信電力を測定する(ステップＳ２０)。尚、ステップＳ１９の現在位置名称の変更操作は、表示部１８に表示中の現在位置名称を、ダイヤルボタン１７Ａを使用して、例えば“第５応接室”に変更した後の位置名称変更ボタン１７Ｄのボタン操作に相当するものである。
【００５１】
無線ＬＡＮ端末４の制御部２１は、同受信電力測定結果及び変更内容をＡＰ５経由でプレゼンスサーバ８に通知する(ステップＳ２１)。
【００５２】
プレゼンスサーバ８のサーバ側制御部３３は、受信電力測定結果及び変更内容を受信すると(ステップＳ２２)、現在地点推定部５３にて受信電力測定結果に対応した現在地点(部屋番号)６２を位置名称対応テーブル３２Ｂから推定する(ステップＳ２３)。
【００５３】
サーバ側制御部３３は、現在地点(部屋番号)を推定すると、変更内容更新部５５にて同部屋番号に対応した位置名称を変更内容に更新すべく、位置名称対応テーブル３２Ｂを制御する(ステップＳ２４)。尚、この際、サーバ側制御部３３は、変更内容更新部５５にて同部屋番号に対応する位置名称を変更内容に更新すると、プレゼンス情報管理テーブル３２Ａに記憶中の同部屋番号に対応する位置名称も変更内容に更新するものである。
【００５４】
サーバ側制御部３３は、変更内容更新部５５にて位置名称を変更内容に更新すると、位置名称検索部５４にて同現在地点に対応する現在位置名称を位置名称対応テーブル３２Ｂから検索し(ステップＳ２５)、同現在位置名称、すなわち変更更新した現在位置名称を無線ＬＡＮ端末４に通知する(ステップＳ２６)。
【００５５】
無線ＬＡＮ端末４の制御部２１は、ＡＰ５経由で同現在位置名称を受信すると(ステップＳ２７)、同現在位置名称を表示部１８に表示することで(ステップＳ２８)、この処理動作を終了する。尚、無線ＬＡＮ端末４のユーザは、表示部１８に表示中の現在位置名称を目視することで、変更した現在位置名称を認識することができる。
【００５６】
また、表示部１８に表示中の現在位置名称に対して変更を要する場合は再度、ダイヤルボタン１７Ａ及び位置名称変更ボタン１７Ｄのボタン操作をして同現在位置名称を変更するものである。
【００５７】
図６に示す位置名称変更処理によれば、無線ＬＡＮ端末４が現在地点での周辺ＡＰ５との受信電力測定結果をプレゼンスサーバ８に通知し、この受信電力測定結果に対応した現在地点に対応する現在位置名称を位置名称対応テーブル３２Ｂから読み出し、この現在位置名称を無線ＬＡＮ端末４に通知し、同無線ＬＡＮ端末４の表示部１８に現在位置名称を表示すると共に、同表示中の現在位置名称と実際の位置名称とが異なる場合、無線ＬＡＮ端末４の変更操作で変更内容をプレゼンスサーバ８側に通知し、同変更内容を現在位置名称として位置名称対応テーブル３２Ｂに更新するようにしたので、例えば部屋替え等で位置名称が変更されたとしても、同現在地点にいる無線ＬＡＮ端末４の変更操作で簡単かつ迅速に位置名称対応テーブル３２Ｂのテーブル内容を変更することができる。
【００５８】
従って、本実施の形態によれば、無線ＬＡＮ端末４にて現在地点でのＡＰ５に対する無線通信の受信電力を測定し、この受信電力測定結果をプレゼンスサーバ８に通知し、同プレゼンスサーバ８側で同受信電力測定結果に対応した現在地点(部屋番号)の位置名称を位置名称対応テーブル３２Ｂから読み出し、同位置名称を無線ＬＡＮ端末４側に通知すると共に、同無線ＬＡＮ端末４側で同現在地点(部屋番号)の位置名称を表示して同位置名称に対する変更操作を検出すると、同変更内容をプレゼンスサーバ８側に通知し、同プレゼンスサーバ８側で同変更内容を受信すると、位置名称対応テーブル３２Ｂ及びプレゼンス情報管理テーブル３２Ａに記憶中の同現在地点に関わる位置名称を変更内容に記憶更新するようにしたので、無線ＬＡＮ端末４側のユーザは、表示部１８に表示中の現在地点の位置名称を画面上で確認し、同位置名称を変更する場合、同変更操作を実行してプレゼンスサーバ８側の位置名称対応テーブル３２Ｂ及びプレゼンス情報管理テーブル３２Ａに記憶中の現在位置名称を変更することができるため、例えば部屋替え等で現在位置名称に変更があったとしても、面倒な操作を要することなく、同名称変更に対して迅速かつフレキシブルに対応することができ、その結果、プレゼンス要求の無線ＬＡＮ端末４側のユーザに対して正確なプレゼンス情報を提供することができる。
【００５９】
また、本実施の形態によれば、無線ＬＡＮ端末４側の受信電力測定部１６にて複数の周辺ＡＰ５に対する無線通信の受信電力を測定するようにしたので、例えば部屋毎にＡＰ５を配置するのではなく、例えば複数の部屋を有するフロア毎に、少なくとも２台のＡＰ５を配置するだけで済む、コストを低減したシステムにも対応可能である。
【００６０】
尚、上記実施の形態においては、無線ＬＡＮ端末４と第１ＡＰ５Ａ、第２ＡＰ５Ｂ及び第３ＡＰ５Ｃとの無線通信に対する受信電力を測定し、受信電力測定結果を弱、中、強の三段階で表し、説明の便宜上、無線ＬＡＮ端末４及び各ＡＰ５間の距離が近くなると、受信電力が強くなるようにしたが、当然ながら、部屋の壁の材質等でも受信電力は大きく変動することは言うまでもない。
【００６１】
また、上記実施の形態においては、受信電力測定結果を弱、中、強の三段階で表すようにしたが、四段階以上で表すようにしても良く、この場合には現在地点を推定する精度を大幅に向上させることができることは言うまでもない。
【００６２】
また、上記実施の形態においては、フロア毎に３台のＡＰ５を例に挙げて説明したが、当然ながら、同ＡＰ５の数を増やせば、同地点の推定精度が上がることは言うまでもない。
【００６３】
また、上記実施の形態においては、無線ＬＡＮ端末４の周辺ＡＰ５の受信電力測定結果を取得すると、第１ＡＰ５Ａ、第２ＡＰ５Ｂ及び第３ＡＰ５Ｃの各受信電力測定結果を三段階で表し、この弱中強の各段階に基づき、無線ＬＡＮ端末４の現在地点を位置名称対応テーブル３２Ｂから推定するようにしたが、位置名称対応テーブル３２ＢにＮ組の受信電力｛Ｒ１ｉ、Ｒ２ｉ、Ｒ３ｉ｝（ただしｉ＝１〜Ｎ）を格納しておき、無線ＬＡＮ端末４からの受信電力測定結果を受信すると、同受信電力を｛Ｒ１、Ｒ２、Ｒ３｝とした場合、｛（Ｒ１ｉ−Ｒ１）２＋（Ｒ２ｉ−Ｒ２）２＋（Ｒ３ｉ−Ｒ３）２｝が最小となるｉの受信電力測定結果を位置名称対応テーブル３２Ｂから検索して同受信電力測定結果に対応する現在地点と推定するようにしても良い。尚、この場合、受信電力を比較するための演算量が多くなることや、テーブル内容が古くなって、その後の現在地点の位置名称の変更等に対応していない場合もあり得るので、位置名称対応テーブル３２Ｂの上限を予め定めておき、それ以上格納する場合は一番古い内容から順次削除して、同テーブルの格納量を一定としても良い。
【００６４】
古い内容よりも新しい内容を優先するために、｛（Ｒ１ｉ−Ｒ１）２＋（Ｒ２ｉ−Ｒ２）２＋（Ｒ３ｉ−Ｒ３）２｝の計算結果に対して、内容量が古いほど大きな値を乗じて重み付けし、新しい内容による受信電力との差異が最小となり易くしても良い。
【産業上の利用可能性】
【００６５】
本発明のプレゼンス情報提供システムによれば、前記無線端末装置にて現在地点での無線基地局に対する無線通信の受信電力を測定し、この測定結果をプレゼンスサーバに通知し、同プレゼンスサーバ側で同測定結果に対応した地点の位置名称を記憶手段から読み出し、同位置名称を無線端末装置側に通知すると共に、同無線端末装置側で同現在地点の位置名称を表示して同位置名称に対する変更操作を検出すると、同変更内容をプレゼンスサーバ側に通知し、同プレゼンスサーバ側で同変更内容を受信すると、前記記憶手段に記憶中の同現在地点に関わる位置名称を変更内容に記憶更新するようにしたので、無線端末装置側のユーザは、表示手段に表示中の現在地点の位置名称を画面上で確認し、同位置名称を変更する場合、同変更操作を実行してプレゼンスサーバ側の記憶手段に記憶中の現在位置名称を変更することができるため、例えば部屋替え等の現在位置名称に変更があったとしても、面倒な操作を要することなく、同名称変更に対して迅速かつフレキシブルに対応することができ、その結果、プレゼンス要求の端末装置側のユーザに対して正確なプレゼンス情報を提供することができるため、例えば企業内の内線電話システムに有用である。
【図面の簡単な説明】
【００６６】
【図１】本発明の実施の形態を示すプレゼンス情報提供システム内部の概略構成を示すブロック図である。
【図２】本実施の形態に関わる無線端末内部の概略構成を示すブロック図である。
【図３】本実施の形態に関わるプレゼンスサーバ内部の概略構成を示すブロック図である。
【図４】本実施の形態に関わる位置名称対応テーブルのテーブル内容を端的に示す説明図である。
【図５】本実施の形態に関わる受信測定結果及び現在地点(部屋)の関係を端的に示す説明図である。
【図６】本実施の形態に関わる無線端末及びプレゼンスサーバの現在位置名称変更処理に関わる処理動作を示す動作シーケンスである。
【符号の説明】
【００６７】
１  プレゼンス情報提供システム
４  無線ＬＡＮ端末(無線端末装置、端末装置)
５  ＡＰ(アクセスポイント：無線基地局)
６  ＰＣ（端末装置）
１６  受信電力測定部(受信電力測定手段)
１８  表示部(表示手段)
２１  制御部（測定結果通知手段、変更内容通知手段）
３２Ｂ  位置名称対応テーブル（記憶手段）
５３  現在地点推定部(地点推定手段)
５４  位置名称検索部（位置名称通知手段）
５５  変更内容更新部(記憶制御手段)
【図１】
2006325129.tif 000003
【図２】
2006325129.tif 000004
【図３】
2006325129.tif 000005
【図４】
2006325129.tif 000006
【図５】
2006325129.tif 000007
【図６】
2006325129.tif 000008